(57)【要約】【課題】複数の物をケース内の関連する区画に収容してボックスのスペース又は容積を効率的に利用するコンパクトなボックスを提供する。【解決手段】ボックスは、ケースと、当該ケースの前方部分に凹状に設けられた、携帯電話を含む携帯電子機器を入れて保持するための前方区画と、ケースの上部に形成された、名刺又は便箋を入れて収納するための上部区画と、ケースの下部に形成されるとともに上部区画の下に位置する、複数の電子機器を作動させる電気を供給する充電器を備え付けるための底部区画と、を有する。【選択図】図１
2012046177.tif 000002
【特許請求の範囲】
【請求項１】
ケースと、
当該ケースの前方部分に凹状に設けられた、携帯電子機器を入れて又は載せて保持するための前方区画と、
前記ケースの上部に形成された、名刺又は便箋を入れて収納するための上部区画と、
前記ケースの下部又は底部に形成されるとともに前記上部区画の下に位置する、充電器を備え付けるための底部区画と、
を有する、ボックス。
【請求項２】
前記ケースは、太陽エネルギーを電気に変換することによって前記充電器を充電するため、前記ケースの外面に配置された複数の太陽電池をさらに含み、前記太陽エネルギーから変換された電気は、前記充電器に電気を蓄えるため前記底部区画に固定された少なくとも１つの充電式バッテリーを含む充電回路に蓄えられる、請求項１に記載のボックス。
【請求項３】
電源コードのコード端子及び前記ケースに設けられた電源端子を通じ、商用電源又は車内の直流電源から電気を導き、前記ケースの底部区画に固定された前記充電器の充電回路を充電するため、商用電源及び／又は車内の直流電源のコンセントに差し込まれるプラグを有する電源コードを更に有する、請求項１又は請求項２に記載のボックス。
【請求項４】
前記充電器は、データストアを更に有し、ケースに形成された少なくとも１つのインターフェース終端又はポートを通じ、データを、コンピュータを含む電子機器から又は電子機器へ、受け取り、保存し、又は送る、請求項１〜３のうちのいずれか１つに記載のボックス。
【請求項５】
前記前方区画内に保持される又は前記前方区画上に置かれる前記携帯電子機器は、携帯電話、ｉＰｈｏｎｅ（登録商標）、ｉＰａｄ（登録商標）、ｉＰｏｄ（登録商標）、ＧＰＳ、ゲーム、ＰＳＰ（登録商標）、ポータブルメディアプレーヤー、及び小型の携帯電子機器を含む、請求項１〜４のうちのいずれか１つに記載のボックス。
【請求項６】
前記充電器は、当該充電器を電子機器に電気的又は電子的に接続するため、インターフェースポート、メス・コネクタ、オス・コネクタ、ジャック、又は、前記ケースに形成された端子を含む、少なくとも１つのインターフェース終端を有する、請求項１〜５のうちのいずれか１つに記載のボックス。
【請求項７】
前記ケースは、当該ケースに設けられた時刻を指示する装置又はデジタル時計を更に有する、請求項１〜６のうちのいずれか１つに記載のボックス。
【請求項８】
前記ケースは、広告デザイン、図表、模様、記述、ロゴ若しくは商標、液晶表示装置、及び前記ケースの表面に設けられた表示手段を含む表示部を有する、請求項１〜７のうちのいずれか１つに記載のボックス。
【請求項９】
前記ケースは、底壁と、当該底壁の前端から垂直に立ち上がる、又は前記底壁から上方に立ち上がり僅かに後方に傾いて前記底壁との間で約８５°から７５°の第１の鋭角Ａを規定する前壁と、前記ケースの後部に形成され前記底壁から垂直に立ち上がる後壁と、前記ケースの左側及び右側にそれぞれ配置され前記底壁から垂直に立ち上がる左側壁及び右側壁と、前記ケースの最上部に形成された上壁と、前記ケースの中間部分に形成されたＬ字形状を有する隔壁と、を有する、請求項１〜８のうちのいずれか１つに記載のボックス。
【請求項１０】
前記Ｌ字形状を有する隔壁は、僅かに傾斜するとともに後方及び下方に先細りとなり前記底壁との間で約１０〜１５°の第２の鋭角Ａ１を規定する仕切板と、前記底壁から上方へ立ち上がるとともに、僅かに後方へ傾き底壁との間で約６０〜７５°の第３の鋭角Ａ２を規定する後板と、を有する、請求項９に記載のボックス。
【請求項１１】
前記ケースは、前記底壁、Ｌ字形状を有する前記隔壁、前記左側壁及び右側壁、並びに前記後壁によって仕切られる、充電回路及び少なくとも１つの充電式バッテリーを含む充電器を備え付けるための底部区画を含む、請求項９又は請求項１０に記載のボックス。
【請求項１２】
前記前方区画は、一対の切欠きが、携帯電話又はＧＰＳ装置を含む前記携帯電子機器を前記前方区画の前記切欠きに置くために前記ケースの左側壁及び右側壁に形成されている、請求項１〜１１のうちのいずれか１つに記載のボックス。
【請求項１３】
前記携帯電子機器を前記前方区画で保持されたときに充電するため、前記前方区画は、前記前方区画の底部に設けられた充電コネクタ又は端子を更に含み、前記前方区画の前記充電コネクタは、前記底部区画内に固定された前記充電器に電気的に接続する、請求項１〜１２のうちのいずれか１つに記載のボックス。
【請求項１４】
前記ケースは、前記前壁、前記隔壁の後板、前記底壁、並びに前記左側壁及び前記右側壁によって仕切られた前方区画を有する、請求項９〜１１のうちのいずれか１つに記載のボックス。
【請求項１５】
前記ケースは、前記上壁、前記隔壁の仕切板、前記後壁、並びに前記左側壁及び前記右側壁によって仕切られた上部区画を有する、請求項９〜１１のうちのいずれか１つに記載のボックス。
【請求項１６】
前記ケースは、当該ケースの壁に設けられたスピーカー又はペーパースピーカーを有する、請求項１〜１５のうちのいずれか１つに記載のボックス。
【請求項１７】
ケースと、
当該ケースの前方部分に形成された、携帯電話を含む携帯電子機器を入れて保持するための前方区画と、
前記ケースの上部に形成された、前記前方区画に隣接する、名刺又は便箋を入れて収納するための上部区画と、
を有する、ボックス。
【発明の詳細な説明】
【技術分野】
【０００１】
本発明は、機能的に区分けされた多機能ボックスに関する。
【背景技術】
【０００２】
米国特許第５０６９３３３号明細書は、名刺を保管する又は名刺を分配するための名刺ホルダーを開示している。
【０００３】
米国特許第６９５５２８０号明細書は、自動車用品又は車内に固定される持ち運びホルダーに設けられた携帯電話固定器具を開示している。
【先行技術文献】
【特許文献】
【０００４】
【特許文献１】米国特許第５０６９３３３号明細書
【特許文献２】米国特許第６９５５２８０号明細書
【発明の概要】
【発明が解決しようとする課題】
【０００５】
しかしながら、従来技術は、名刺又は電話の便利な使用のために名刺及び携帯電話を同時に保持する装置又は容器を開示していない。
【０００６】
本発明者は、従来技術の欠点を見つけ、本多機能ボックスを発明した。
【課題を解決するための手段】
【０００７】
本発明の目的は、ケースと、当該ケースの前方部分に凹状に設けられた、携帯電話を含む携帯電子機器を入れて保持するための前方区画と、前記ケースの上部に形成された、名刺又は便箋を入れて収納するための上部区画と、前記ケースの下部に形成されるとともに前記上部区画の下に位置する、複数の電子機器を作動させる電気を供給する充電器を備え付けるための底部区画と、を有する、ボックスを提供することである。
【図面の簡単な説明】
【０００８】
【図１】ケース内に携帯電話及び便箋を保持する実施形態を示す図である。
【図２】図１から電話を取り外したときの実施形態の斜視図である。
【図３】実施形態の部分断面図である。
【図４】ケース上に水平に保持された電子機器を示す。
【図５】ケース内に設けられた充電器を充電するため接続された電源コードを有する実施形態の後方斜視図である。
【図６】ケース内の充電器を充電するためケースの底壁に備えられた太陽電池を示す図であり、ケースがひっくり返っている。
【図７】車Ｃの室内の表面に置かれた実施形態を示す図である。
【図８】ケースの前壁に設けられた時刻を指示する装置を有する実施形態を示す。
【図９】ケースの最も上の壁に形成された例えば宣伝のための表示部を示す。
【発明を実施するための形態】
【０００９】
図に示すように、本発明の実施形態は、ケース１と、ケース１の前方部分に凹状に設けられた、携帯電子機器７を入れて保持するための前方区画２と、ケース１の上部に形成された、名刺又は便箋８を入れて収納するための上部区画３と、ケース１の下部又は底部に形成され上部区画３の下に位置する、充電器４１を備え付けるための底部区画４と、を有する。
【００１０】
太陽エネルギーを電気に変換することによって、充電器４１を充電するため、複数の太陽電池５が、ケース１の外面、特に、図５及び図６に示すようにケース１の上壁１６及び底壁１１に配置される。充電器４１の充電式バッテリー及び充電回路に電気を蓄えるため、太陽エネルギーから変換された電気は、底部区画４に固定された少なくとも１つの充電式バッテリーを含む充電回路に充電される。
【００１１】
図５に示すように、電源コード６は、電源コード６のコード端子６２、及びケース１に形成された電源端子（又はソケット若しくはジャック）４２を通じ、商用電源又は車内の直流電源から電気を導き、ケース１の底部区画４に固定された充電器４１の充電回路（充電回路の充電式バッテリーを含む）を充電するため、商用電源及び／又は車内の直流電源のコンセントに差し込まれるプラグ（又はシガレットライタープラグ）６１を有する。
【００１２】
従って、本実施形態の充電器４１は、太陽エネルギーを吸収するとともに電気に変える太陽電池、例えば都市の商用電源システムから供給されるような交流電源、又は直流電源によって充電できる。
【００１３】
充電器４１は、さらに、データストア（ｄａｔａ  ｓｔｏｒｅ）（又はメモリ）を含んでもよく、そしてケース１に形成された少なくとも１つのインターフェース終端又はポート４３を通じ、データを、コンピュータを含む電子機器から又は電子機器へ、受け取り、保存し、又は送ってもよい。
【００１４】
前方区画２に保持される又は置かれる携帯電子機器７は、携帯電話、ｉＰｈｏｎｅ（登録商標）、ｉＰａｄ（登録商標）、ｉＰｏｄ（登録商標）、ＧＰＳ、ゲーム、ＰＳＰ（登録商標）、ポータブルメディアプレーヤー（ＭＰ３、ＭＰ４を含む）、又は、他の小型の携帯電子機器を含むことができる。
【００１５】
このような携帯電子機器７は、電子機器自身に直接備えられた電源に加え、ケース１に形成されたインターフェース終端４３に接続する入力コネクタ、及び電子機器７に接続可能な出力コネクタ（ＵＳＢコネクタを含む）を有する電源コード（不図示）をつなぐことによって充電器４１によって電力を供給されることもできる。
【００１６】
充電器４１のインターフェース終端４３は、インターフェースポート、メス・コネクタ、オス・コネクタ、ジャック、又は、充電器４１を携帯電子機器に電気的又は電子的に接続するための他の端子を含むことができる。
【００１７】
他の電子機器、又は、ラップトップ若しくはノートブックコンピュータ等を含むコンピュータをつなぐため、ＵＳＢコネクタ、ＵＳＢポート、ＵＳＢハブ、又はＵＳＢシステム若しくはデバイスが、充電器４１に接続されてもよい。
【００１８】
終端４３は、ＬＥＤ照明に電気的に接続されてもよく、又は他の電気若しくは電子機器に接続されてもよい。終端４２、４３は、後壁１３又は側壁１４、１５に形成されることができる。
【００１９】
ケース１は、紙、革、布、木製材料、セラミック、ガラス、クリスタル、プラスチック、又は他の適した材料を含む、複数の材料から形成することができるが、本発明はこれに限定されない。
【００２０】
時刻を指示する装置（ｔｉｍｅ  ｐｉｅｃｅ）、又はデジタル時計９が、図８に示すように例えばケース１の前壁１２に形成される等、ケース１に設けられてもよい。
【００２１】
図９に示すように、例えばケース１の上壁１６等の外面に、広告デザイン、図表、模様、記述、ロゴ若しくは商標、液晶表示装置（ＬＣＤ）、又は他の表示手段を含む表示部９ａが設けられてもよい。表示部９ａがＬＣＤの場合、オーディオ又は画像表示のため表示部９ａに電力を供給するため、表示部９ａは充電器４１に電気的に接続されてもよい。このような表示部９ａは、上壁１６に太陽電池５とともに設けてもよく、又は、広告等のため、太陽電池５を取り除いて表示領域を広げてもよい。
【００２２】
ケース１は、底壁（又はプレート）１１と、底壁１１の前端から垂直に立ち上がる、又は、上方に立ち上がり僅かに後方に傾いて図３に示すように底壁１１との間で約８５°から７５°（但し本発明はこの角度に限定されない）の鋭角Ａを規定する前壁１２と、ケース１の後部に形成され底壁１１から垂直に立ち上がる後壁１３と、ケース１の左側及び右側にそれぞれ配置され底壁１１から垂直に立ち上がる左側壁１４及び右側壁１５と、ケース１の最上部に形成された上壁１６と、ケース１の中間部分に形成されたＬ字形状を有する隔壁１７と、を有する。
【００２３】
Ｌ字形状を有する隔壁１７は、僅かに傾斜するとともに後方及び下方に先細りとなり底壁１１との間で鋭角Ａ１（約１０〜１５°であるが、これに限定されない）を規定する仕切板１７１と、底壁１１から上方へ立ち上がるとともに、僅かに後方へ傾き底壁１１との間で約６０〜７５°（これに限定されない）の鋭角Ａ２を規定する後板１７２と、を有する（図３）。
【００２４】
充電回路及び少なくとも１つの充電式バッテリーを含む充電器４１は、特に図２及び図３に示すように、底壁１１、Ｌ字形状を有する隔壁１７、左側壁１４及び右側壁１５、並びに後壁１３によって仕切られる底部区画４内に固定される。
【００２５】
前方区画２にあっては、一対の切欠き２０が、例えば携帯電話又はＧＰＳ装置等の携帯電子機器７を前方区画２の切欠き２０に置くために左側壁１４及び右側壁１５に形成されてもよい。
【００２６】
（例えば携帯電話等の）携帯電子機器７が前方区画２で保持されたときこれを充電するため、充電コネクタ又は端子（不図示）が、前方区画２の底部に備えられてもよい。前方区画２のこのような充電コネクタは、底部区画４に固定された充電器４１へ電気的に接続される。
【００２７】
前方区画２は、前壁１２、隔壁１７の後板１７２、底壁１１、並びに左側壁１４及び右側壁１５によって仕切られている（図２）。
【００２８】
上部区画３は、上壁１６、隔壁１７の仕切板１７１、後壁１３、並びに左側壁１４及び右側壁１５によって仕切られている（図２）。
【００２９】
本発明は、本発明の範囲及び趣旨を逸脱することなく更に変更可能である。本発明は、複数の物をケース内の関連する区画に収容してボックスのスペース又は容積を効率的に利用するコンパクトなボックスを提供する。
【００３０】
前方区画２及び上部区画３は、図示したように共通の開口部を有するが、２つの個別の開口部又はスロットが、前方区画２及び上部区画３のそれぞれに別々に設けられてもよく、その結果、各区画２、３は各々の開口部を有する。
【００３１】
少なくとも１つのスピーカー又はペーパースピーカーが、例えばケース１の側壁１４又は側壁１５等、ケースに設けられてもよい。
【符号の説明】
【００３２】
１    ケース、
２    前方区画、
３    上部区画、
４    底部区画、
５    太陽電池、
６    電源コード、
７    携帯電子機器、
８    便箋、
９    デジタル時計、
９ａ    表示部、
１１    底壁、
１２    前壁、
１３    後壁、
１４    左側壁、
１５    右側壁、
１６    上壁、
１７    Ｌ字形状を有する隔壁、
２０    切欠き、
４１    充電器、
４２    電源端子、
４３    インターフェース終端、
６１    プラグ、
６２    コード端子、
１７１    仕切板、
１７２    後板。
【図１】
2012046177.tif 000003
【図２】
2012046177.tif 000004
【図３】
2012046177.tif 000005
【図４】
2012046177.tif 000006
【図５】
2012046177.tif 000007
【図６】
2012046177.tif 000008
【図７】
2012046177.tif 000009
【図８】
2012046177.tif 000010
【図９】
2012046177.tif 000011